(57)【要約】【課題】外形を大形化することなく、施錠動作に関わる主要部分をカバーして不正解錠を防止することができるゲーム機の施錠装置を提供する。【解決手段】取付板２と支持板３とを有する基枠体１の内側に連結杆が摺動可能に配設され、支持板の上部と下部に鉤部材５，６が傾動可能に枢支される。連結杆４の上端と下端が上下の鉤部材５，６に連結され、連結杆４に鉤部材を施錠側に付勢するばね部材１７が装着される。取付板２の中間部にシリンダ錠１４がその錠軸を基枠体１内に挿入するように取り付けられる。シリンダ錠１４の錠軸に取り付けられたカム部材１３が連結杆４に係合可能に配設される。基枠体１の内側に配設された連結杆４、カム部材１３、ばね部材１７及び鉤部材５，６の元部を覆うためのカバー部材７が基枠体１の内側に着脱可能に取り付けられる。【選択図】図３
0003131037.tif 000002
【実用新案登録請求の範囲】
【請求項１】
取付板と支持板とを有する基枠体の内側に連結杆が摺動可能に配設され、該支持板の上部と下部に鉤部材が傾動可能に枢支され、該連結杆の上端と下端が上下の該鉤部材に連結され、該連結杆に該鉤部材を施錠側に付勢するばね部材が装着され、該取付板の中間部にシリンダ錠がその錠軸を該基枠体内に挿入するように取り付けられ、該シリンダ錠の錠軸に取り付けられたカム部材が該連結杆に係合可能に配設されたゲーム機の施錠装置において、
該基枠体の内側に配設された連結杆、カム部材、ばね部材及び鉤部材の元部を覆うためのカバー部材が該基枠体の内側に着脱可能に取り付けられたことを特徴とするゲーム機の施錠装置。
【請求項２】
前記カバー部材は、前記基枠体の取付板と支持板の内側面に沿って該内側面を覆う形状に合成樹脂により一体成形され、該カバー部材の縁部には、該取付板の縁部を挟持して係止される複数の係止爪が設けられたことを特徴とする請求項１記載のゲーム機の施錠装置。
【請求項３】
前記基枠体の取付板に形成された取付孔に対応した前記カバー部材の部位に、該取付孔に取付ねじを差し込んで共締めするための共締め孔が、前記カバー部材における該取付板との当接部に設けられたことを特徴とする請求項１または２記載のゲーム機の施錠装置。
【考案の詳細な説明】
【技術分野】
【０００１】
本考案は、スロットマシン、パチンコ機等のゲーム機の前面枠（前扉）を、本体枠（筐体）に対し施錠するゲーム機の施錠装置に関し、特に針金などの不正器具を使用しての不正解錠を防止することができるゲーム機の施錠装置に関する。
【背景技術】
【０００２】
従来、この種のゲーム機の施錠装置として、基枠体の内側に連結杆が摺動可能に配設され、基枠体の支持板の上部と下部に鉤部材が、連結杆に連結されて傾動可能に枢支され、基枠体の取付板の中間部に、シリンダ錠がその錠軸を取付板に設けた孔から内側に差し込むように固定され、錠軸の先端に連結杆と係合するカム部材が取り付けられた構成の施錠装置が、下記特許文献１などで知られている。
【０００３】
この種の施錠装置の基枠体は、取付板と支持板を略Ｌ字状に形成した長尺のＬ形アングル材状に形成され、その基枠体の取付板が前面枠（前扉）の自由端（右端）に縦に固定されるが、基枠体の支持板は正面から見て左側に位置するため、基枠体の右側面は開放された形状となっている。したがって、開放状態の前面枠（前扉）の自由端（右端）側から施錠装置を見た場合、基枠体の内側に配設したシリンダ錠の錠軸、錠軸に固定されたカム部材、及びカム部材の回動時に係合する連結杆の係合部などが、容易に見える状態となっている。
【特許文献１】実開昭６０−２５８５号公報
【特許文献２】特開２００２−１７７５８６号公報
【考案の開示】
【考案が解決しようとする課題】
【０００４】
このような施錠装置を自由端側に取り付けた前面枠を、ゲーム機の本体枠に対し閉じると、施錠装置の上部と下部の鉤部材が、本体枠の内側に固定された受け金具に係止され、前面枠は施錠状態となる。しかし、閉鎖され施錠状態となったゲーム機の前面枠は、堅強に閉じられているものの、前面枠の自由端と本体枠との間に、僅かな隙間が生じる場合がある。そのようなときに、自由端側の隙間にバールなどを差し込み、隙間を広げ、そこから針金や薄板などの不正器具を差し込み、不正器具の先端を施錠装置の基枠体の内側に配置されるカム部材やそれが係合する連結杆の係合部などを引っ掛け、不正解錠が行なわれる可能性があった。
【０００５】
そこで、従来、上記特許文献２において、基枠体の全体に角筒形のケースを被せ、ケースに設けたスリット孔から、施錠用の鉤部材、作動杆、シリンダ錠などを突出させた構造の施錠装置が提案されている。
【０００６】
しかし、このような基枠体全体に角筒形のケースを被せる施錠装置は、必然的にその外形が大型化し、パチンコ機の前面枠内側の非常に狭いスペースに、このようなケース付きの施錠装置を取り付けることが困難となる課題があった。
【０００７】
本考案は、上述の課題を解決するものであり、外形を大形化することなく、施錠動作に関わる主要部分をカバーして不正解錠を防止することができるゲーム機の施錠装置を提供することを目的とする。
【課題を解決するための手段】
【０００８】
本考案に係るゲーム機の施錠装置は、取付板と支持板とを有する基枠体の内側に連結杆が摺動可能に配設され、該支持板の上部と下部に鉤部材が傾動可能に枢支され、該連結杆の上端と下端が上下の該鉤部材に連結され、該連結杆に該鉤部材を施錠側に付勢するばね部材が装着され、該取付板の中間部にシリンダ錠がその錠軸を該基枠体内に挿入するように取り付けられ、該シリンダ錠の錠軸に取り付けられたカム部材が該連結杆に係合可能に配設されたゲーム機の施錠装置において、該基枠体の内側に配設された連結杆、カム部材、ばね部材及び鉤部材の元部を覆うためのカバー部材が該基枠体の内側に着脱可能に取り付けられたことを特徴とする。
【０００９】
ここで、上記カバー部材は上記基枠体の取付板と支持板の内側面に沿って該内側面を覆う形状に合成樹脂により一体成形され、該カバー部材の縁部には、前記取付板の縁部を挟持して係止される複数の係止爪を、設けることができる。
【００１０】
また、上記取付板に形成された取付孔に対応したカバー部材の部位に、該取付孔に取付ねじを差し込んで共締めするための共締め孔を、カバー部材における取付板との当接部に設けることができる。
【考案の効果】
【００１１】
上記構成の施錠装置では、基枠体の内側に配設された、連結杆、カム部材、ばね部材及び鉤部材の元部を覆うように、カバー部材が基枠体の内側に着脱可能に取り付けられている。したがって、基枠体が、例えば取付板と支持板を横断面略Ｌ字状に形成され、その基枠体の取付板が前面枠（前扉）の自由端（右端）に縦に固定され、基枠体の支持板が正面から見て左側に位置し、基枠体の右側面が開放された形状となっている施錠装置であっても、前面枠の自由端側と本体枠の右端近傍の隙間から針金や薄板などの不正器具を差し込み、カム部材、連結杆、ばね部材或いは鉤部材を動かす不正解錠に対し、連結杆、カム部材、ばね部材及び鉤部材の元部がカバー部材により覆われているため、不正器具をそこに到達させることができず、不正解錠を防止することができる。
【００１２】
また、基枠体の取付板と支持板の内側面に沿って該内側面を覆う形状に、カバー部材を合成樹脂により一体成形し、カバー部材の縁部には、取付板の縁部を挟持して係止される複数の係止爪を設け、係止爪の係止によりカバー部材を基枠体に組み付ける構造とすれば、カバー部材のみで基枠体に装着することができ、低コストでカバー部材の取付を行うことができる。
【００１３】
また、取付板に形成された取付孔に対応したカバー部材の部位に、該取付孔に取付ねじを差し込んで共締めするための共締め孔を、カバー部材における取付板との当接部に設けることにより、施錠装置をゲーム機の前扉に、取付ねじを用いて取り付けた際、カバー部材も同時に締め付け固定することができる。
【考案を実施するための最良の形態】
【００１４】
以下、本考案の一実施形態を図面に基づいて説明する。図１〜図３はスロットマシンなどのゲーム機に使用する施錠装置の正面図、右側面図、及び背面図を示し、図４はその斜視図を示している。本施錠装置は、概略的には、縦長の基枠体１の上部寄りと下部寄りの２箇所に、背面側に向けて鉤部材５，６を傾動可能に枢支し、基枠体１の正面の略中央下部寄りにシリンダ錠１４を取り付け、基枠体１の支持板３に沿って連結杆４を摺動可能に配設し、連結杆４により上下の鉤部材５，６を連結し、シリンダ錠１４の解錠操作により、カム部材１３と連結杆４を介して、鉤部材５，６を係止解除側に傾動させて解錠するように構成される。また、基枠体１の内側にはカバー部材７が、そこに配設された連結杆４、カム部材１３、コイルばね（ばね部材）１７及び鉤部材５，６の元部を覆って、基枠体１の内側に着脱可能に取り付けられている。
【００１５】
基枠体１は、帯状の金属板をプレス加工して断面略コ字状の略チャンネル材形状に形成され、その底壁を取付板２とし、一方の側壁（正面に向かって左側の側壁）を支持板３として、取付板２と支持板３を略直角に曲折した形状に成形されている。取付板２の正面は取付面を形成し、そこには施錠装置を固定するための複数の取付孔が穿設される。
【００１６】
さらに、図１０に示すように、取付板２の略中央下寄り部分は、幅広部２ａが左側に膨出するように幅広に形成され、その取付板２の幅広部２ａには、シリンダ錠１４を取り付けるために、大径の取付孔が穿設されている。また、その幅広部２ａの下側の取付板２に、非接触スイッチ１５（光電スイッチ、近接スイッチなど）、扉開閉検出器１６（光電スイッチ、近接スイッチなど）を装着するためのスイッチ収容部２ｂが、正面視左側に突き出すように形成されている。
【００１７】
また、幅広部２ａの左側面を形成する支持板３の部分は、分割支持板３ａとして分割形成され、分割支持板３ａには、図９に示すように、カム部材１３の係合凸部をにがすために開口部が形成されている。さらに、その下側のスイッチ収容部２ｂの左側面を形成する支持板３の部分も、分割支持板３ｂとして分割形成され、分割支持板３ｂには、非接触スイッチ１５と扉開閉検出器１６を装着するための開口部が形成されている。また、図９に示すように、取付板２には後述の連結杆４をガイドするガイド部２ｃが内側に山形に突設される。一方、支持板３には、連結杆４を正面側から受けて摺動可能に支持するためのガイド支持部３ｃ、３ｄが、支持板３の一部を内側に切り起して形成されている。
【００１８】
さらに、支持板３の上部には、鉤部材５が背面側に水平に突出すると共に、枢軸５ａを介して水平状態から下方に傾動可能に枢支されている。同様に、支持板３の下部に鉤部材６が背面側に水平に突出すると共に、枢軸６ａを介して水平状態から上側に傾動可能に枢支されている。１対の鉤部材５，６は、その係止部を相反する方向に配置して装着される。鉤部材５，６は、その先端部が傾斜し、係止凹部を上又は下に向けたフック状に形成され、上部の鉤部材５は下側に傾動しながら受け金具２２の係止部２３に係止可能であり、下部の鉤部材６は上側に傾動しながら受け金具２２の係止部２４に係止可能である。
【００１９】
基枠体１の内側に、帯状の連結杆４が支持板３に沿って摺動可能に配設され、連結杆４は、図６に示すように、支持板３のガイド支持部３ｃ、３ｄと取付板２のガイド部２ｃにより所定位置で上下摺動可能に保持される。連結杆４の上端部は連結ピン４ａを介して鉤部材５の末端部に連結され、連結杆４の下端部は連結ピン４ｂによって鉤部材６の中間部に連結されている。これにより、連結杆４を上側に摺動させたとき、上部の鉤部材５は下側に傾動し、下部の鉤部材６は上側に傾動して、解錠動作が行なわれる。
【００２０】
図５に示すように、連結杆４と後述のスイッチ作動杆８との間にばね部材（コイルばね）１７がかけられ、連結杆４は常時ばね部材１７により下方に付勢され、上下の鉤部材５，６を施錠側に付勢している。また、スイッチ作動杆８はばね部材１７により上方に付勢される。また、連結杆４には、図９に示すように、カム部材１３に対応した位置に、係合部４ｃと開口部４ｄが形成される。図８において、カム部材１３が反時計方向に回動したとき、カム部材１３の係合凸部１３ａが係合部４ｃに係合して、連結杆４は上方に移動し、解錠動作が行われる。
【００２１】
取付板２の幅広部２ａに大径孔が形成され、その大径孔に基枠体１の内側から外筒を挿入するようにシリンダ錠１４が装着される。シリンダ錠１４の長尺外筒の元部には、フランジ１４ｂが設けられ、フランジ１４ｂに固定孔が穿設されている。このシリンダ錠１４は、取付板２の幅広部２ａに設けた大径孔からその外筒を正面側に突き出すように、つまりフランジ１４ｂと錠軸１４ａを基枠体１内に配置するように装着され、フランジ１４ｂを幅広部２ａの内側にねじ止めし、取付板２上に固定される。錠軸１４ａの先端にカム部材１３が固定される。
【００２２】
図８に示すように、錠軸１４ａに固定されたカム部材１３には２つの係合凸部１３ａ、１３ｂが形成され、シリンダ錠１４の操作により、カム部材１３を図８の反時計方向に回したとき、その係合凸部１３ａが係合部４ｃに係合して、連結杆４を上方に摺動させる。
【００２３】
連結杆４と支持板３の間に、スイッチ作動杆８が上下に摺動可能に配設される。スイッチ作動杆８は、非接触スイッチ１５をスイッチング動作させる部材で、スイッチ作動杆８の下摺動時に、その下部に突設した作動片８ｃがスイッチ収容部２ｂに取り付けた非接触スイッチ１５に作用し、スイッチング動作させる。スイッチ作動杆８にはその側面に山形のガイド部８ｄが突設され、そのガイド部８ｄを、連結杆４の対応位置に形成したガイド孔４ｅに係合させ、これにより、スイッチ作動杆８は所定の範囲で上下に摺動可能となっている。
【００２４】
図９に示すように、スイッチ作動杆８には、係合部８ａと開口部８ｂが形成され、カム部材１３が図８の時計方向に回動したとき、その係合凸部１３ｂが係合部８ａに係合してスイッチ作動杆８は下降摺動し、作動片８ｃが非接触スイッチ１５に作用して、非接触スイッチ１５がスイッチングする。
【００２５】
スイッチ収容部２ｂにおける非接触スイッチ１５の下側に、扉開閉検出器１６が分割支持板３ｂに設けた矩形孔に挿入する形態で取り付けられる。さらに、その扉開閉検出器１６の下側に、図９に示すように、揺動部材９が枢支ピン９ａを軸に揺動可能に支持板３の外側に軸支される。この揺動部材９は、前扉２１を筐体２０に対し閉じたとき、受け金具２２の係止部２４に当たって揺動するように構成され、揺動部材９の上端部に作動片９ｂが突設され、揺動時にその作動片９ｂが扉開閉検出器１６に作用して、扉開閉検出器１６から前扉の開閉を示す開閉信号が出力されるようになっている。図１０に示すように、揺動部材９のばね掛け部９ｃと支持板３の間にばね部材（コイルばね）１９がかけられ、前扉２１の開放時には作動片９ｂが扉開閉検出器１６側に進入するように揺動部材９を付勢している。
【００２６】
カバー部材７が、図６に示すように、基枠体１の内側に配設された連結杆４、カム部材１３、ばね部材１７及び鉤部材５，６の元部を覆って、基枠体１の内側に着脱可能に取り付けられる。カバー部材７は、図５に示すように、基枠体１の取付板２と支持板３の内側面に沿って内側面を覆う形状に合成樹脂により一体成形され、カバー部材７の縁部には、取付板２の縁部を挟持して係止される係止爪７ａ〜７ｅが設けられる。取付板２に形成された取付孔に対応した位置に、その取付孔に取付ねじを差し込んで共締めするための共締め孔７ｆ、７ｇが、カバー部材７の取付板２との当接部に設けられる。
【００２７】
つまり、カバー部材７は、図５のように、連結杆４の全体を囲繞する形状大きさに形成され、さらに、カバー部材７には、上部の鉤部材５の元部を覆う鉤部材囲繞部、ばね部材１７を覆うばね部材囲繞部、カム部材１３を覆うカム部材囲繞部、及び下部の鉤部材６の元部を覆う鉤部材囲繞部が設けられている。カバー部材７を基枠体１の内側に装着する場合、図６のように、基枠体１の取付板２の縁部に対し、カバー部材７の係止爪７ａ〜７ｅを当て、そのまま内側にスライドさせて係止爪７ａ〜７ｅを取付板２の縁に嵌め込み挟持させて、装着する。
【００２８】
このように係止爪７ａ〜７ｅを係止させて装着されるカバー部材７は、基枠体１から取り外すことができるものの、施錠装置を使用する際、その取付板２をゲーム機の前扉２１の内側に固定するが、このとき、共締め孔７ｆ、７ｇに取付ねじをねじ込み、取付板２の取付孔と共締めして固定するため、施錠装置を取り付けた状態では、共締めした取付ねじを外さない限りカバー部材７は外すことができない。
【００２９】
一方、保守点検などで、ゲーム機に装着された施錠装置のカバー部材７を外す場合、共締めした取付ねじを外せば、カバー部材７を取り外すことは可能である。その場合、施錠装置の基枠体１は共締めした取付ねじ以外の取付ねじにより前扉に固定されており、施錠装置は固定した状態で保守点検を行なうことができる。
【００３０】
なお、カバー部材７は、共締め用の取付ねじのほか、通常の取付ねじを用いて基枠体１の取付板２に対し固定することもできる。この場合、カバー部材７は、工場出荷時には施錠装置と一体化されユニットとして出荷することができる。また、取付ねじに代えて、両面粘着テープによりカバー部材７を取付板２に対し取着することもできる。
【００３１】
このように構成された施錠装置は、図１１に示すように、ゲーム機（例えばスロットマシン）の前扉２１の内側に、基枠体１の取付板２を縦に固定して装着され、ゲーム機の筐体２０側の側壁における対応位置には、受け金具２２が取り付けられる。
【００３２】
受け金具２２は、図１１のように、縦長の基板の上部と下部に、板状の係止部２３，２４を突設して形成され、係止部２３，２４は施錠装置側の鉤部材５、６の対向位置に配置される。さらに、受け金具２２の係止部２３の下側にローラ受け２５が設けられる。なお、下側の係止部２４は、前扉２１を閉じたとき、施錠装置の揺動部材９の下部が、係止部２４の一部に当接し、揺動部材９を揺動させる形状となっている。
【００３３】
施錠するために、前扉２１を筐体２０に対し閉じると、先ず、鉤部材５，６の傾斜面が受け金具２２の係止部２３，２４の端部に接触し、ばね部材１７に付勢力に抗して、上の鉤部材５が下側に傾動し、下の鉤部材６が上側に傾動し、鉤部材５，６の係止凹部がそれらの係止部２３，２４に係合したとき、図１１のように、鉤部材５，６がばね部材１７の付勢力により傾動姿勢から水平状態に復帰して施錠状態となる。
【００３４】
このような施錠状態では、カバー部材７が基枠体１の内側で、連結杆４、鉤部材５，６の元部、カム部材１３を覆っているため、筐体２０と前扉２１の隙間から針金などを差し込み、カム部材１３などに引っ掛けて行なう不正解錠は防止される。すなわち、施錠装置は、スロットマシンの前扉２１に向かって右側つまり自由端の内側に取り付けられ、前扉２１の自由端と筐体２０との隙間が、施錠装置の基枠体１の開口した反支持板３側に近く、その隙間から針金などを挿入された場合、針金などの先端がカム部材１３や連結杆４、鉤部材５，６の元部に到達する可能性があるが、カバー部材７によって、針金などの先端をカム部材１３や連結杆４などに引っ掛けることはできず、不正解錠を防止することができる。
【００３５】
前扉２１の解錠の際に、キーをシリンダ錠１４に挿入し、それを右に回すと、錠軸１４ａ、カム部材１３が同方向に回動し、カム部材１３の係合凸部１３ａと連結杆４の係合部４ｃとの係合により連結杆４がコイルばね１７の付勢力に抗して上方に移動し、これにより、上の鉤部材５が下側に傾動し、下の鉤部材６が上側に傾動し、筐体２０側の受け金具２２の係止部２３，２４との係合を外し、解錠状態となる。また、このとき、係止部２４に当接していた揺動部材９が図１１の反時計方向に回動し、揺動部材９の上部の作動片９ｂが扉開閉検出器１６に作用し、扉開閉検出器１６から前扉２１の開放を示す信号が出力される。
【００３６】
一方、ゲーム機をリセットする場合、キーをシリンダ錠１４に挿入し、それを左に回すと、錠軸１４ａ、カム部材１３が同方向に回動し、カム部材１３の係合凸部１３ｂとの係合によりスイッチ作動杆８がばね部材１７の付勢力に抗して下方に移動する。このとき、スイッチ作動杆８の作動片８ｃが非接触スイッチ１５に作用して信号を出力し、この信号がリセット信号として送出される。
【００３７】
このように、カバー部材７が、基枠体１の内側に配設された連結杆４、カム部材１３、ばね部材１７及び鉤部材５，６の元部を覆うように、基枠体１の内側に装着されるため、このカバー部材７のみにより針金などの不正器具を用いて不正解錠を有効に阻止することができる。これにより、不正解錠対策のロック部材（施錠状態で連結杆の動きをロックする部材）を取り付ける必要がなくなり、構造が簡単化され、ロック部材、その枢支ピン、コイルばねなどのロック部品の部品点数を削減することができる。
【図面の簡単な説明】
【００３８】
【図１】本考案の一実施形態を示すゲーム機の施錠装置の正面図である。
【図２】同施錠装置の右側面図である。
【図３】同施錠装置の背面図である。
【図４】同施錠装置の斜視図である。
【図５】カバー部材の右側面図（ａ）、同背面図（ｂ）、同平面図（ｃ）である。
【図６】カバー部材を外した状態の施錠装置の斜視図である。
【図７】カバー部材を外した状態の施錠装置の右側面図である。
【図８】カバー部材を外した状態の施錠装置の背面図である。
【図９】カバー部材を除く施錠装置の分解右側面図である。
【図１０】カバー部材を除く施錠装置の分解背面図である。
【図１１】使用態様を示す施錠装置の右側面図である。
【符号の説明】
【００３９】
１      基枠体
２      取付板
３      支持板
４      連結杆
５      鉤部材
６      鉤部材
７      カバー部材
７ａ    係止爪
７ｆ    孔
８      スイッチ作動杆
９      揺動部材
１３    カム部材
１４    シリンダ錠
２０    筐体
２１    前扉
２３    係止部
２４    係止部
【図１】
0003131037.tif 000003
【図２】
0003131037.tif 000004
【図３】
0003131037.tif 000005
【図４】
0003131037.tif 000006
【図５】
0003131037.tif 000007
【図６】
0003131037.tif 000008
【図７】
0003131037.tif 000009
【図８】
0003131037.tif 000010
【図９】
0003131037.tif 000011
【図１０】
0003131037.tif 000012
【図１１】
0003131037.tif 000013